(57)【要約】  受動光ネットワーク（ＰＯＮ）のような光データネットワークでは光回線終端装置（ＯＬＴ）が、光ネットワーク装置（ＯＮＵ）から受け取った１つまたは複数の信号の強度を測定し、測定された信号強度に応じた指標を含むメッセージを生成する。ＯＬＴはメッセージをＯＮＵに伝送する。ＯＮＵは、メッセージに含まれる指標に応じた長さのプリアンブルを有するパケットを生成する。
2009518889.tif 000002
【特許請求の範囲】
【請求項１】
光ネットワークでデータ伝送パケットのプリアンブル長さを調整するための方法であって、パケットがデータビットを後に伴うプリアンブルを含み、
光ネットワーク内の少なくとも１つの光ネットワーク装置（ＯＮＵ）から光回線終端装置（ＯＬＴ）で受け取った信号の信号強度を測定するステップと、
少なくとも１つのＯＮＵに、測定された信号強度に応じた長さをもつプリアンブルを有するパケットを伝送させるステップと
を含む、方法。
【請求項２】
信号強度を測定するステップが光ネットワーク内の複数のＯＮＵから受け取った信号の信号強度を測定するステップを含み、
少なくとも１つのＯＮＵに測定した信号強度に応じた長さをもつプリアンブルを有するパケットを伝送させるステップが、パケットを伝送する複数のＯＮＵの各々に測定した信号強度に応じた長さをもつプリアンブルを有するパケットを伝送させるステップを含む、請求項１に記載の方法。
【請求項３】
信号強度を測定するステップが光ネットワーク内の全てのＯＮＵから受け取った信号の信号強度を測定するステップを含み、
少なくとも１つのＯＮＵに測定した信号強度に応じた長さをもつプリアンブルを有するパケットを伝送させるステップが、パケットを伝送する、光ネットワーク内の全てのＯＮＵに測定した信号強度に応じた長さをもつプリアンブルを有するパケットを伝送させるステップを含む、請求項２に記載の方法。
【請求項４】
光ネットワークが受動光ネットワーク（ＰＯＮ）である、請求項２に記載の方法。
【請求項５】
ＯＮＵに測定された信号強度に応じた長さをもつプリアンブルを有するパケットを生成させるステップが、
測定された信号強度に応じたプリアンブル長さの指標を生成するステップと、
プリアンブル長さの指標を含むメッセージをＯＬＴからＯＮＵへ伝送するステップと、
メッセージに応じて、プリアンブル長さの指標によって示される長さをもつプリアンブルを有するパケットをＯＮＵが生成するステップと
を含む、請求項１に記載の方法。
【請求項６】
測定された信号強度に応じたプリアンブル長さの指標を生成するステップが測定された信号強度に応じてプリアンブル長さの指標をルックアップテーブルから決定するステップを含む、請求項５に記載の方法。
【請求項７】
信号強度を測定するステップが光ネットワーク内の各ＯＮＵから受け取った各信号の信号強度を測定するステップを含み、
メッセージを伝送するステップがプリアンブル長さの指標を含むメッセージをＯＬＴから光ネットワーク内の各ＯＮＵへ伝送するステップを含み、
メッセージに応じてＯＮＵがプリアンブル長さ指標に示される長さをもつプリアンブルを有するパケットを生成するステップが、メッセージに応じてプリアンブル長さ指標によって示される長さをもつプリアンブルを有するパケットを生成するためにパケットを伝送する各ＯＮＵを光ネットワーク内に備える、
請求項５に記載の方法。
【請求項８】
測定された信号強度に応じてプリアンブル長さの指標を生成するステップが、
光ネットワーク内の全てのＯＮＵから受け取った全ての信号の中で最も高
い信号強度を決定するステップと、
光ネットワーク内の全てのＯＮＵから受け取った全ての信号の中で最も低
い信号強度を決定するステップと、
最も高い信号強度の最も低い信号強度に対する割合を計算するステップと、
割合に応じてプリアンブル長さの指標を決定するステップと
を含む、請求項７に記載の方法。
【請求項９】
割合に応じてプリアンブル長さの指標を決定するステップが、割合に応じてルックアップテーブルからプリアンブル長さの指標を決定するステップを含む、請求項８に記載の方法。
【請求項１０】
受動光ネットワーク（ＰＯＮ）でデータ伝送パケットのプリアンブル長さを調整するための方法であって、パケットがデータビットを後に伴うプリアンブルを含み、
ＰＯＮ内の各ＯＮＵから受け取った各信号の信号強度を光回線終端装置（ＯＬＴ）で測定するステップと、
ＰＯＮ内のＯＮＵから受け取った信号の中で最も高い信号強度を決定するステップと、
ＰＯＮ内のＯＮＵから受け取った信号の中で最も低い信号強度を決定するステップと、
最も高い信号強度の最も低い信号強度に対する割合を計算するステップと、
割合に応じてプリアンブル長さの指標を決定するステップと、
プリアンブル長さの指標を含むメッセージをＯＬＴからＰＯＮ内の各ＯＮＵに伝送するステップと、
プリアンブル長さ指標によって示された長さをもつプリアンブルを有するパケットをメッセージに応じてＯＮＵ内のＰＯＮが生成するステップと
を含む方法。
【請求項１１】
光ネットワーク内でデータ伝送パケットのプリアンブル長さを調整する光回線終端装置であって、パケットがデータビットを後に伴うプリアンブルを含み、
光ネットワーク内の１つまたは複数の光ネットワーク装置へ／から信号を受信し、伝送するための光データ送受信器システムと、
光ネットワーク装置（ＯＮＵ）から受け取った信号の強度を測定するための信号強度測定システムと、
測定された信号強度に応じてプリアンブル長さの指標を決定し、プリアンブル長さの指標を含むメッセージを生成し、光データ送受信システムにメッセージをＯＮＵに伝送させるための処理システムと
を備える、光回線終端装置。
【請求項１２】
処理システムが測定された信号強度に応じてルックアップテーブルからプリアンブル長さの指標を決定する、請求項１１に記載の光回線終端装置。
【請求項１３】
処理システムが、光ネットワーク内のＯＮＵから受け取った信号の中の最も高い信号強度を決定し、光ネットワーク内のＯＮＵから受け取った信号の中の最も低い信号強度を決定し、最も高い信号強度の最も低い信号強度に対する割合を計算し、割合に応じてプリアンブル長さの指標を決定する、請求項１１に記載の光回線終端装置。
【請求項１４】
処理システムが割合に応じてルックアップテーブルからプリアンブル長さの指標を決定する、請求項１３に記載の光回線終端装置。
【発明の詳細な説明】
【技術分野】
【０００１】
本発明は、概して受動光ネットワーク（ＰＯＮ）における光出力制御に関し、より具体的には出力測定値に応じたバーストモードデータ伝送プリアンブルの調整に関する。
【背景技術】
【０００２】
殆どのディジタル電気通信ネットワーク（つまり当事者間またはコンテンツ配信サービスと受信契約者の間のデータ、音声、映像その他の通信を容易にするネットワーク）は、レピータ、リレーのような能動素子ならびにその他の電力を消費するそのような装置を交換局と受信契約者の間の経路内に備えるのが一般的である。電力を必要とすることに加え能動素子は時間と共に故障し、その性能が劣化する傾向にあり、定期的に重大な保守を必要とすることもある。受動光ネットワーク（ＰＯＮ）は、これらの欠陥の一部を克服するために開発されてきた。ＰＯＮの核心は、交換局と受信契約者の間の経路内に光ファイバおよび受動素子以外になにも見当たらないことである。交換局から、近所の人々また事務所街などの受信契約者のグループの近傍に配置された受動分配器までの間を一本のファイバが、その分配器から個々の受信契約者または受信契約者のサブグループまでの間を個々のファイバが走ることができる。
【０００３】
国際電気通信連合（ＩＴＵ）および電気電子技術者協会（ＩＥＥＥ）が現在ＰＯＮ標準を作成している２つの標準作成団体である。ＩＴＵは、ブロードバンドＰＯＮ（ＢＰＯＮ）のための仕様であり「ＡＰＯＮ」とも呼ばれるＧ９８３．ｘ、非同期転送モード（ＡＴＭ）データ伝送プロトコルへの参照、およびギガビットＰＯＮ（ＧＰＯＮ）のための仕様であるＧ９８４．ｘを含むフルサービスアクセスネットワーク（ＦＳＡＮ）組織の提言を採用してきた。本発明が関連するこれらの標準および提言は当業者によく知られており、したがって本発明の明細書ではここにより詳しくは説明されない。
【０００４】
これらの標準および提言によればＰＯＮは、光回線終端装置（ＯＬＴ）を交換局または本局に備え、光ネットワーク端末（ＯＮＴ）としても知られ、それぞれが受信契約者の施設（例えば家、事務所ビル、その他）またはその近傍に配置されている光ネットワーク装置（ＯＮＵ）をいくつか備え、ＯＬＴとＯＮＵの間に光ファイバおよび分配器をもつ。データが交換局から受信契約者へ伝送される下り方向では、データユニット（例えばＡＴＭセル、パケット、その他）は、ＯＬＴからネットワーク中の全ＯＮＵに対して一斉送信され、ＯＮＵは、データユニットに埋め込まれたアドレスを選択されたアドレスにマッチさせることによって受け取るデータを選定することができる。データが受信契約者から交換局へ伝送される上り方向では、データユニットは、その他の受信契約者から伝送されるものと時分割で多重化される。ＢＰＯＮおよびＧＰＯＮは、データパケットのバーストを比較的高いビットレートで伝送するので時としてバーストモードＰＯＮ技術と呼ばれる。
【０００５】
バーストモード光ネットワークで出力制御は、データ伝送エラーを最小にするのに役立つことができるので重要な考慮すべき事項である。ＰＯＮではＯＬＴで受け取られる上りデータパケットビットの振幅がＯＬＴ受信器の動作範囲外にある場合にビットエラーが発生する可能性がある。換言すれば、信号は、ＯＬＴ受信器に対して強力すぎてそれに負荷をかけすぎず、ＯＴＬ受信器に対して弱すぎてノイズによって不明瞭にされることが無いようにすることが重要である。ＯＬＴで受けられる上り信号の振幅は、ＯＮＵごとに変化する可能性があり、その理由には経路内の分割数、および、ＯＬＴからそこにＯＮＵが配置されていることもあるところまでの距離が異なっていることを含むいくつがある。
【０００６】
Ｇ９８４仕様で規定されている、「出力平準化」として知られている１つの出力制御機構は、ＯＮＵから受けたパケットの平均振幅を測定し、その振幅がＯＬＴ受信器の感度範囲の外側にある場合にはそのＯＮＵに、その伝送出力を増加方向にまたは減少方向に調整させる命令を送出するＯＬＴを含む。
【０００７】
Ｇ９８４仕様は、ＯＬＴも規定しその受信器を各上りパケットに対して「トレーニング」して振幅の違いに対応する、つまりエラーを伴わずにパケットデータを受け取るためにそれ自身をそのパケットの振幅範囲に調整する。Ｇ９８４仕様は、ＯＬＴ受信器をトレーニングするのに使用するために各パケットのデータビットに先行するプリアンブルを含むことを規定している。トレーニングするのに必要とする時間は、主として連続する上りパケット間の振幅の相違に依存する。つまりＯＬＴに近いＯＮＵから高い光出力レベルで受け取った非常に明るいパケットが、ＯＬＴから遠いＯＮＵより低い光出力で受け取った暗いパケットに後続される場合にはＯＬＴ受信器にとって難しい状況がつくり出され、次のパケットを受け取ることができるようになる前に長い回復時間を必要とする。このように連続するパケット間の振幅差が大きいほど必要とするトレーニングする時間は長くなり、したがって必要なプリアンブルが長くなる。従来型システムは、ＩＴＵまたはＩＥＥＥ標準で指定された最も大きな（つまり最悪の場合の）振幅差に対応するのに十分な長さである所定のまたは固定した長さのプリアンブルを使用するように設計されている。この最悪の場合の差として１５ｄＢの振幅差が使用されるのが一般的である。（ＩＴＵ  Ｇ９８４標準を参照のこと）。このような最悪の場合の振幅差の場合ＯＬＴ受信器をトレーニングするのに十分な長さのプリアンブルは、最大で使用可能な上りの帯域幅の１０％を消費する可能性がある。
【発明の開示】
【発明が解決しようとする課題】
【０００８】
しかし、商業上で使用されがちなＰＯＮではＯＬＴで受け取られる信号の振幅は、ＯＮＵがＯＬＴから大体等しい距離に配置されるのが一般的であるので、ＯＮＵごとに大きく変化することは有りそうもない−最悪の場合の１５ｄＢよりずっと低い。したがって殆どの商業的に実現可能なＰＯＮに対して最悪な場合の振幅差は非常に控えめであると考えられている。ビットエラー率を妥協することなく上りデータ伝送帯域幅を最大化する方法およびシステムを提供することが望ましい。本発明はこれらの問題および欠陥ならびにその他に下記に記載する方策で取り組む。
【課題を解決するための手段】
【０００９】
本発明は、光ネットワーク内のデータ伝送パケットプリアンブルの長さを帯域幅を不必要に消費しない長さに調整するための方法およびシステムに関する。本発明の１つまたは複数の実施形態によれば光回線終端装置（ＯＬＴ）で光ネットワーク装置（ＯＮＵ）から受け取った信号の強度が測定され、ＯＬＴは測定された信号の強度に応じた指標を含むメッセージを生成する。ＯＬＴはそのメッセージをＯＮＵに伝送し、そのメッセージは、ＯＮＵにその指標に応じた長さのプリアンブルを有するパケットを生成させる。信号の強度は任意の適切な方法で任意の適切な時間に測定することができる。例えばＯＬＴが一体型の信号強度測定システムを含む本発明の実施形態では、ＯＬＴが信号の強度を測定することができる。その他の実施形態では、その他の手段を使用して（例えば、ＰＯＮを実際に使用する前にプロビジョニングまたはセットアッププロセスの部分として）信号の強度を測定することができ、その結果をＯＬＴに提供することができる。
【００１０】
好ましい１つの形態では、ネットワーク内のＯＮＵから受け取った信号の振幅が測定され、最大測定振幅の最低測定振幅に対する割合が計算される。次いで測定信号強度に応じた指標が比率に応じて決定される。例えばＯＬＴは、割合の値をプリアンブルの長さまたはプリアンブルの長さに関係する値に関連付けるルックアップテーブルを参照することができる。一般的に、システムのダイナミックレンジを表すと言うことができるその割合が大きいほどＯＮＵがパケット内に含む必要があるプリアンブル（ＯＮＵは、ＯＬＴ受信器が、その割合によって示される範囲の振幅を有するパケットに対して十分に整い、または敏感になるためにきちんと伝送する）は長くなる。このようにしてＯＮＵによって生成された各パケットを、そのＯＮＵから受け取ったパケットの振幅に対して敏感になるようにＯＬＴをトレーニングするのに必要な長さより非常に長くはないプリアンブルを有するようにさせることができる。このようにしてプリアンブルの長さを最小化することがデータ伝送のために利用可能な帯域幅を最大にする。
【発明を実施するための最良の形態】
【００１１】
図１に図示されているように本発明の例示的な実施形態では受動光ネットワーク（ＰＯＮ）は、１つの光回線終端装置（ＯＬＴ）１０およびいくつかの光ネットワーク装置（ＯＮＵ）１２、１４、１６、その他を含む。ＯＬＴ１０は、光ファイバ１８、２０、２２、２４、その他および１つまたは複数の光分配器２６、その他によって従来方式で各ＯＮＵ１２、１４、１６、その他と相互接続されている。説明目的のためにそのような分配器２６が１つだけおよびそのようなＯＮＵ１２、１４、１６が３つ示されているがＰＯＮは、その他任意の適切な接続形態およびいくつかのＯＮＵ、分配器、ファイバ、その他を有することができる。ＯＬＴ１０は、そこからテレビジョン番組の配信およびインターネット接続の提供などのサービスが運営される例えば交換局または本局に配置することができる。ＯＮＵ１２、１４、１６、その他は、例えばそのようなサービスへの受信契約者によって居住される住宅またはその他の施設に配置することができる。ＰＯＮ内のデータ通信は双方向性であるが、本発明は主に上り方向つまりＯＮＵ１２、１４、１６、その他のいずれかからＯＬＴ１０へのデータ通信に関する。ＰＯＮにおけるデータ通信は、非同期転送モード（ＡＴＭ）プロトコルのようないくつかの適切な従来型技術のいずれかを使用する当業界でよく知られた方策で生じ、したがって本明細書ではこれ以上詳細には説明されない。本発明は、通信プロトコルまたは通信されるものの内容に関するものではなく、むしろデータパケット、具体的にはデータパケットのプリアンブル長さに関する。
【００１２】
ＯＬＴ１０は、本発明によりプログラムまたは構成され、図２に関して下記に説明される動作方法を制御する適切なソフトウェアまたはファームウェアなどのような制御ロジック２８を含む。ＯＬＴ１０は、制御ロジック２８によってその方法を達成するためにプロセッサ３０を含むことができる。説明目的で、プロセッサ３０が、この例示的な実施形態に関して別個の要素として示され、説明されているがその他の実施形態では本方法は、１つまたは複数のその他のプロセッサまたは他方のＯＬＴロジック３２に含まれるその他の要素（図示せず）によって実現される。他方のＯＬＴロジック３２は、プロセッサ、メモリ、データエンコーダおよびデコーダその他のような論理素子を表し、それらの論理素子は従来型であり当技術分野で知られているタイプの従来のＯＬＴに一般的に含まれている。そのような要素の構造および機能は当技術分野でよく知られておりしたがって本明細書ではこれ以上詳細には説明されない。しかしその他のＯＬＴロジック３２は、メモリに予め記憶し図２で図示された方法に関して下記に説明される方策で使用することができるルックアップテーブル（ＬＵＴ）３４を含むようにプログラムされまたは構成されていることに留意されたい。説明目的で、本例示的な実施形態に関してその他のＯＬＴロジック３２の部分であるメモリに記憶されているとして示され、説明されているがその他の実施形態ではＬＵＴ３４は、別個のメモリまたはその他の任意の適切なメモリに記憶することができる。実際、その他の実施形態では本明細書で説明するＬＵＴ３４のルックアップまたは関連機能は、その他の任意の同等のものまたはプロセッサで処理されるアルゴリズムのような他の適切なロジックによって実行することができる。
【００１３】
上述した要素の他にＯＬＴ１０はＯＬＴ送信器３６およびＯＬＴ受信器３８を備える送信および受信システムを含む。ＯＬＴ１０は、ＯＮＵ１２、１４、１６、その他のいずれかから受け取った信号の強度を測定するための信号強度（例えば光出力）測定システム４０も含む。測定システム４０は、２００５年７月２６日に出願され、本発明の譲受人に譲渡された「バーストモード光出力測定を容易にするための方法およびシステム」（「ＭＥＴＨＯＤ  ＡＮＤ  ＳＹＳＴＥＭ  ＦＯＲ  ＦＡＣＩＬＩＴＡＴＩＮＧ  ＢＵＲＳＴ−ＭＯＤＥ  ＯＰＴＩＣＡＬ  ＰＯＷＥＲ  ＭＥＡＳＵＲＥＭＥＮＴ」）と言う表題の、この参照により本明細書に組み込まれた米国特許申請第１１／１８９，２９１号に記述されたシステム、または他の任意の適切な出力測定システムとすることができる。従来型ＯＬＴ（図示せず）は一般的にこのような出力測定システムを含むことに留意されたい。
【００１４】
ＯＮＵ１２、１４、１６、その他は各々当技術分野で知られた従来タイプのものとすることができる。それ自体、各々は、ＯＬＴ１０から受け取った命令またはメッセージを認識し、それらに応答する能力がある。ＯＬＴ１０は、命令を、選択されたＯＮＵに対応するアドレスをその命令を表すデータと一緒にパケットデータに埋め込むことによってＯＮＵ１２、１４、１６、その他のうちの特定の１つに伝送することができる。当技術分野で知られているようにそのような一命令は、ＯＮＵに命令してその送信器の出力レベルをセットすることができる。他のそのような命令はＯＮＵに命令してパケットプリアンブルの長さをセットすることができる。さらに他のそのような命令はＯＮＵに命令して信号を伝送することができる。
【００１５】
下記に説明されるように、図２に図示されている方法は、ＯＮＵ１２、１４、１６、その他の各々が信号強度の測定に応じてそのデータパケットのプリアンブル長さを調整する結果をもたらす。その方法は、ＰＯＮのサービスが通常動作を開始する前（例えばＯＬＴ１０からＯＮＵ１２、１４、１６、その他から内容の通信を開始する前）の初期化時期に実施することができる。或いは他のＯＮＵがＰＯＮに加えられたときにはいつでもと言うような随時基準で時々、或いは週ごと、月ごとまたは年ごとのように周期的な基準で、或いはその他任意の適切な時間に実施することができる。概念的な方策で図１に示されている制御ロジック２８は、プロセッサ３０および他のＯＬＴロジック３２の関連する要素の制御の下における図２に図示された方法の性能を表していることに留意されたい。
【００１６】
本発明のこの例示的な実施形態では、方法は２つの主要なステップ４２および４４、つまり信号強度を測定するステップ、およびＯＮＵに測定された信号強度に応じた長さをもつプリアンブルを有するパケットを伝送させるステップを含む。これは、本明細書の教示を考慮すれば当業者には直ちに思いつく様々な方法で行うことができるが、本例示的な実施形態ではＯＮＵ１２、１４、１６その他の各々から受け取った信号の強度が測定され、プリアンブルの長さは、最も高い測定された信号強度の最も低い測定された信号強度に対する割合に応じている。上述のようにＯＬＴ１０が処理するのに最悪の場合の発生または例は、大きく異なる振幅または信号強度のパケットが２つ連続することである。したがって最も高い測定された信号強度の最も低い測定された信号強度に対する割合に応じた長さにパケットのプリアンブルをセットすることは、ＯＬＴ１０が最悪の場合の例を扱うことを可能にする。
【００１７】
それに応じてステップ４６でＯＬＴ１０は、ＯＮＵ１２、１４、１６、その他のうちの第１のものに宛てて命令を伝送し、それに適切なテスト信号を上流方向にＯＬＴ１０に伝送することによって応答させる。ステップ４８でＯＬＴ１０はそのテスト信号の強度を測定する。ステップ５０で、ＯＬＴ１０がＰＯＮ内のＯＮＵ１２、１４、１６、その他の全ての強度を未だ測定していない場合にはそれは、ステップ４６および４８を繰り返す。ステップ５２および５４では、ＯＬＴ１０は、どの測定された信号がそれぞれ最も高いおよび最も低い信号強度を有するか決定し、ステップ５６でこれらの値の割合を計算する。ステップ５８でＯＬＴ１０は、その割合を使用して対応する所望のプリアンブル長さの値をルックアップテーブル（ＬＵＴ）３４で探し出す（図１を参照）。ＬＵＴ３４に記憶されている値は周期または秒での実際の長さ、或いは実際の長さを示す或る適切な値とすることができる。上記で論議した理由で、プリアンブル長さを示す記憶された値は、それらをルックアップするのに使用される割合が増加すれば増える。ＬＵＴ３４に予め記憶しようとする値は実験的にまたはその他の任意の適切な方策で決定することができる。計算された、最も高い値に対する最も低い値の割合に応じてＬＵＴを使用することが例示的な実施形態で使われているが、最悪の場合の例を処理するために測定された信号値に応じて適切なプリアンブル長さを決定する他の方法は、本明細書の教示を考慮して直ちに当業者に思い浮かぶであろう。例えばプロセッサによって処理されるアルゴリズムを使用することができる。
【００１８】
ステップ６０でＯＬＴ１０は、ＬＵＴ３４でみつけられたプリアンブル長さの指標を命令の部分としてＯＮＵ１２、１４、１６、その他の各々に伝送する。この命令に応じてその後ＯＮＵ１２、１４、１６のいずれかによって生成されたデータパケットは、どれも指示された長さのプリアンブルを有する。代替実施形態では、デフォルトのプリアンブル長さまたはそれに対してＯＮＵ１２、１４、１６各々が既にセットされている現状のプリアンブル長さ（その長さは所望のプリアンブル長さに等しいかそれに近い）が存在する場合には１つまたは両方のステップ５８および６０が省略されるようにする追加のステップ（図示せず）を実施することができる。
【００１９】
上述の方法の例示的な結果は図３−図４に図示されている。図３に図示されているように、１つのパケットと他のパケットの間の最悪の場合の振幅（つまり信号強度）差（その末端６２だけが説明目的で示されている）が大きい例ではそのパケット（およびその他のパケット全て）のプリアンブル６４は、そのパケット（およびその他のパケット全て）のデータ部分６６に比較して相応に長い。しかし図４に図示されているように、１つのパケットと他のパケットの間の最悪の場合の振幅差（その末端６８だけが説明目的で示されている）が小さい例ではそのパケット（およびその他のパケット全て）のプリアンブル７０は、そのパケット（およびその他のパケット全て）のデータ部分７２に比較して相応に短い可能性がある。ＯＮＵ１２、１４、１６、その他からＯＬＴ１０に伝送されるパケット全てのプリアンブル長さを上述の方策で最適化することがパケットデータ部分のために使用可能な帯域幅が最大化することを直ちに理解することができる。
【００２０】
本発明の精神および範囲を逸脱することなく、本発明に対して様々な改変および変形を実施することができることは当業者にとって明白であろう。したがって本発明は、任意の特許請求の範囲およびそれに相当するものの範囲に入るという条件の下に本発明の改変および変形を対象にするものとする。
【図面の簡単な説明】
【００２１】
【図１】本発明の例示的実施形態による受動光ネットワーク（ＰＯＮ）のブロック図である。
【図２】図１のＰＯＮで、測定信号強度に反応してデータパケットのプリアンブル長さを調整するための方法の流れ図である。
【図３】図２の方法によって調整された長いプリアンブルを有する例示的なデータパケットを図示する図である。
【図４】図２の方法によって調整された短いプリアンブルを有する例示的なデータパケットを図示する図である。
【図１】
2009518889.tif 000003
【図２】
2009518889.tif 000004
【図３】
2009518889.tif 000005
【図４】
2009518889.tif 000006
【国際調査報告】
2009518889.tif 000007